(57)【要約】【課題】位置情報から表示言語を自動的に設定することで、全世界共通の情報処理装置を提供することを目的とする。【解決手段】本発明の情報処理装置は、位置検出手段１と、位置情報に基づいて表示に使用する言語を判定する表示言語判定手段２と、判定された言語を設定する表示言語設定手段３を備え、位置情報をもとに表示言語を自動的に設定することで、出荷前に仕向け地別に表示言語をあらかじめカスタマイズしておく必要がなくなる。【選択図】図１
2007193719.tif 000002
【特許請求の範囲】
【請求項１】
位置を検出する位置検出手段と、
前記位置検出手段で検出された位置に基づいて言語を判定する表示言語判定手段と、
前記表示言語判定手段で判定された言語を記憶する表示言語記憶手段と、
前記表示言語記憶手段に記憶されている言語を表示に使用するように設定する表示言語設定手段とを備え、
位置によって表示言語が自動的に設定されることを特徴とする情報処理装置。
【請求項２】
位置を検出する位置検出手段と、
前記位置検出手段で検出された位置に基づいて言語を判定する表示言語判定手段と、
前記表示言語判定手段で判定された複数の言語から表示に使用する言語を選択する表示言語選択手段と、
前記表示言語選択手段で選択された言語を記憶する表示言語記憶手段と、
前記表示言語記憶手段に記憶されている言語を表示に使用するように設定する表示言語設定手段とを備え、
位置によって選択できる表示言語が絞り込まれることを特徴とする情報処理装置。
【請求項３】
前記表示言語選択手段の説明文または選択肢は、前記表示言語判定手段で判定された複数の言語で表示されていることを特徴とする請求項２記載の情報処理装置。
【請求項４】
前記表示言語判定手段を用いた表示言語の判定を行わないようにする表示言語判定無効化手段を備え、
前記表示言語選択手段は、表示言語の判定を行わない場合には装置の持つすべての表示言語を選択できるようにすることを特徴とする請求項２記載の情報処理装置。
【請求項５】
前記位置検出手段が位置の検出に失敗した場合、前記表示言語選択手段は表示可能なすべての言語を選択できるようにすることを特徴とする請求項２記載の情報処理装置。
【請求項６】
前記表示言語判定手段が表示言語の判定に失敗した場合、前記表示言語選択手段は表示可能なすべての言語を選択できるようにすることを特徴とする請求項２記載の情報処理装置。
【請求項７】
初めて装置が使用されたときのみ自動的に前記表示言語記憶手段に表示言語が記憶されることを特徴とする請求項１または２記載の情報処理装置。
【請求項８】
前記表示言語記憶手段に記憶された表示言語を削除する表示言語記憶削除手段を備え、
前記表示言語記憶削除手段で記憶を削除することで、表示言語の設定をやり直すことができることを特徴とする請求項１または２記載の情報処理装置。
【請求項９】
前記位置検出手段は、ＧＰＳ（Ｇｌｏｂａｌ  Ｐｏｓｉｔｉｏｎｉｎｇ  Ｓｙｓｔｅｍ）衛星から電波を受信することで位置を検出することを特徴とする請求項１または２記載の情報処理装置。
【請求項１０】
位置を検出する位置検出手順と、
前記位置検出手順で検出された位置に基づいて言語を判定する表示言語判定手順と、
前記表示言語判定手順で判定された言語を記憶する表示言語記憶手順と、
前記表示言語記憶手順に記憶されている言語を表示に使用するように設定する表示言語設定手順とを備え、
位置によって表示言語が自動的に設定されることを特徴とする情報処理装置の表示言語設定方法。
【請求項１１】
位置を検出する位置検出手順と、
前記位置検出手順で検出された位置に基づいて言語を判定する表示言語判定手順と、
前記表示言語判定手順で判定された複数の言語から表示に使用する言語を選択する表示言語選択手順と、
前記表示言語選択手順で選択された言語を記憶する表示言語記憶手順と、
前記表示言語記憶手順に記憶されている言語を表示に使用するように設定する表示言語設定手順とを備え、
位置によって選択できる表示言語が絞り込まれることを特徴とする情報処理装置の表示言語設定方法。
【請求項１２】
前記表示言語選択手順の説明文または選択肢は、前記表示言語判定手順で判定された複数の言語で表示されていることを特徴とする請求項１１記載の情報処理装置の表示言語設定方法。
【請求項１３】
前記表示言語判定手順を用いた表示言語の判定を行わないようにする表示言語判定無効化手順を備え、
前記表示言語選択手順は、表示言語の判定を行わない場合には装置の持つすべての表示言語を選択できるようにすることを特徴とする請求項１１記載の情報処理装置の表示言語設定方法。
【請求項１４】
前記位置検出手順が位置の検出に失敗した場合、前記表示言語選択手順は表示可能なすべての言語を選択できるようにすることを特徴とする請求項１１記載の情報処理装置の表示言語設定方法。
【請求項１５】
前記表示言語判定手順が表示言語の判定に失敗した場合、前記表示言語選択手順は表示可能なすべての言語を選択できるようにすることを特徴とする請求項１１記載の情報処理装置の表示言語設定方法。
【請求項１６】
初めて装置が使用されたときのみ自動的に前記表示言語記憶手順に表示言語が記憶されることを特徴とする請求項１０または１１記載の情報処理装置の表示言語設定方法。
【請求項１７】
前記表示言語記憶手順に記憶された表示言語を削除する表示言語記憶削除手順を備え、
前記表示言語記憶削除手順で記憶を削除することで、表示言語の設定をやり直すことができることを特徴とする請求項１０または１１記載の情報処理装置の表示言語設定方法。
【請求項１８】
前記位置検出手順は、ＧＰＳ（Ｇｌｏｂａｌ  Ｐｏｓｉｔｉｏｎｉｎｇ  Ｓｙｓｔｅｍ）衛星から電波を受信することで位置を検出することを特徴とする請求項１０または１１記載の情報処理装置の表示言語設定方法。
【請求項１９】
請求項１〜９記載の情報処理装置を制御するプログラムを有する情報処理装置。
【請求項２０】
請求項１〜９記載の情報処理装置を制御するプログラムを記録した記録媒体。
【請求項２１】
請求項１〜９記載の情報処理装置を制御するプログラムを配信する通信媒体。
【発明の詳細な説明】
【技術分野】
【０００１】
本発明は、位置情報をもとに表示言語を変える情報処理装置に関する。
【背景技術】
【０００２】
最近ではデジタル家電の普及に伴い、コンピュータに限らずテレビ、ＤＶＤプレーヤー、携帯電話など、さまざまな製品がテキストによる情報の表示を行っている。これら製品は世界中に販売され、地域ごとに異なる言語で情報を表示している。
【０００３】
ＧＰＳなどの位置情報検出手段を用いて機器の地域ごとに設定を変更する技術は従来から存在している。たとえば、特許文献１では、現在位置を検出し、機器の置かれている国の電波法に則った無線通信を行う装置が発明されている。この技術はある国で購入した無線通信機器を他の国に持ち込んで使用する場合に、ユーザーが国ごとに設定を変える必要がないという利点がある。また、特許文献２では、位置情報に基づいてＤＶＤ再生装置の地域情報を変更する装置が発明されている。この技術は、ＤＶＤ再生装置をある地域から別の地域に移動した際に自動的に地域情報を変更するという利点がある。
【特許文献１】特許第３５６３３８２号公報
【特許文献２】特許第３２６８６３８号公報
【発明の開示】
【発明が解決しようとする課題】
【０００４】
テキストによる出力を行う情報処理装置は、出荷される地域に応じて表示される言語があらかじめ決まっていることが多い。このため、同じ機能を持つ装置であっても、出荷される地域ごとに表示言語を変えた異なる機種となるため、出荷される地域が多ければ開発、製造、販売にかかるコストが増加する。
【０００５】
使用中にユーザーが手動で表示言語を変更できる情報処理装置も存在する。たとえば、パーソナルコンピュータ（以下ＰＣ）のオペレーティングシステム（以下ＯＳ）には、複数の表示言語を内部に用意しておき、ユーザーが使用中に表示言語を選択できるものもある。しかし、装置を初めて使用する時は出荷時に設定された言語（英語であることが多い）で表示されるため、その言語をユーザーが理解できない場合には操作できず、表示言語を変更することも出来ないという問題がある。
【０００６】
また、複数の公用語が使用される地域もあり、その地域ではユーザーに合わせた言語で表示する必要がある。
【０００７】
特許文献１と特許文献２のように無線通信方式やＤＶＤ再生の設定は、装置が移動すれば、その地域にあわせて装置の設定を変更する必要がある。しかし、情報処理装置の表示言語は使用者の母国語に合わせるので使用者が装置を持ち運んでも表示言語は変化しないように一度設定した言語を記憶しておく必要がある。たとえばノート型ＰＣの場合、日本で購入したノートＰＣをアメリカに持ち込んだときに表示言語が英語に変化してはいけない。また、無線通信方式やＤＶＤの再生の設定は地域によって１つの方式に限定されているが、表示言語は複数の公用語が使用される地域についても考慮する必要がある。
【０００８】
本発明は、装置の使用開始時に位置情報を元に地域に応じた表示言語を自動的に設定する、あるいは地域で使用されている複数の表示言語を選択できるようにすることで、全世界で共通の情報処理装置を提供することを目的とする。
【課題を解決するための手段】
【０００９】
上記従来の課題を解決する情報処理装置は、
位置を検出する位置検出手段と、
位置検出手段で検出された位置に基づいて言語を判定する表示言語判定手段と、
表示言語判定手段で判定された言語を記憶する表示言語記憶手段と、
表示言語記憶手段に記憶されている言語を表示に使用するように設定する表示言語設定手段とを備え、
位置によって表示言語が自動的に設定されることで全世界に共通の装置となる。
【００１０】
また、位置を検出する位置検出手段と、
位置検出手段で検出された位置に基づいて言語を判定する表示言語判定手段と、
表示言語判定手段で判定された複数の言語から表示に使用する言語を選択する表示言語選択手段と、
表示言語選択手段で選択された言語を記憶する表示言語記憶手段と、
表示言語記憶手段に記憶されている言語を表示に使用するように設定する表示言語設定手段とを備え、
装置の位置によって選択できる表示言語が絞り込まれることで、複数の言語が使用される地域にも考慮した全世界共通の情報処理装置となる。
【００１１】
さらに、表示言語選択手段の説明文や選択肢を、表示言語判定手段で判定された複数の言語で表示することで、複数の言語が使用される地域のユーザーに操作が理解しやすくなる。
【００１２】
さらに、表示言語判定手段を用いた表示言語の判定を行わないようにする表示言語判定無効化手段を備え、
表示言語選択手段は、表示言語の判定を行わない場合には装置の持つすべての表示言語を選択できるようにすることで、
地域で使用されている言語と異なる言語を使用する旅行者や移住者が自由に表示言語を選択できるようになる。
【００１３】
さらに、位置検出手段が位置の検出に失敗した場合、表示言語選択手段は表示可能なすべての言語を選択できるようにすることで、位置検出失敗時でも表示言語を設定することができるようになる。
【００１４】
さらに、表示言語判定手段が表示言語の判定に失敗した場合、表示言語選択手段は表示可能なすべての言語を選択できるようにすることで、表示言語判定失敗時でも表示言語を設定することができるようになる。
【００１５】
さらに、表示言語記憶手段に記憶された表示言語を削除する表示言語記憶削除手段を備え、
表示言語記憶削除手段で記憶を削除することで、表示言語の設定をやり直すことができるようにすることで、
この装置のユーザーが変化するときに、新しいユーザーの使用する表示言語に再設定することができる。
【発明の効果】
【００１６】
本発明の情報処理装置は、全世界で共通の装置となることにより、工場出荷段階で装置の仕向け地に応じて表示言語をカスタマイズする必要がなく工数を削減でき、仕向け地ごとに異なる情報処理装置を開発するコストも削減でき、ある地域で売れ残った製品を別の地域で販売して在庫も削減できる。
【発明を実施するための最良の形態】
【００１７】
以下、本発明を実施の形態について、図面を参照しながら説明する。
【００１８】
（実施の形態１）
図１は本発明の第１の実施の形態にかかる情報処理装置の概念的な構成を示す図である。
【００１９】
図１において、
１は装置の現在位置を検出する位置検出手段、２は現在装置の置かれている地域で表示すべき言語を判定する表示言語判定手段、７は表示言語判定手段２で判定された言語を記憶しておく表示言語記憶手段、４は複数の言語のフォントや文章などの情報を格納した表示言語格納手段、３は表示言語格納手段４から表示すべき情報を読み出して設定する表示言語設定手段、５は全体の処理を行う処理部、６は処理部５の処理結果を設定された言語で出力する表示手段である。
【００２０】
図２は本発明の第１の実施の形態にかかる日本、米国、英国、ドイツを対象とした情報処理装置をドイツで使用した場合を示す図である。本情報処理装置は、変更したデータを保存するかどうかを質問する画面を表示する機能を持つ。
【００２１】
本実施の形態における情報処理装置は、位置検出手段１としてＧＰＳ（Ｇｌｏｂａｌ  Ｐｏｓｉｔｉｏｎｉｎｇ  Ｓｙｓｔｅｍ）受信装置２００を利用する。ＧＰＳ受信装置２００は、複数の人工衛星からの電波を受信し、その差異を計測することで現在位置を検出することができる。表示言語判定手段２は表示言語判定表２０２を利用する。表示言語判定表２０２は地域２０３の列と言語２０４の列で構成され、日本、米国、英国、ドイツに対応する言語が記憶されている。表示言語記憶手段７は表示言語判定手段２で判定された言語を表示言語２０５として記憶する。表示言語格納手段４は、表示言語情報２０６を格納する。表示言語情報２０６は言語２０７、フォント２０８、肯定の返答２０９、否定の返答２１０、変更保存の質問２１１の列で構成され、日本語、英語、ドイツ語の情報が格納されている。処理部５は、表示手段６に変更保存質問画面２１６を表示させる。
【００２２】
本装置をドイツで使用した場合、ＧＰＳ受信装置２００により、現在地２０１がドイツであることが検出される。表示言語判定手段２は、現在地２０１と表示言語判定表２０２から表示言語はドイツ語であると判定する。表示言語記憶手段７は、表示言語判定手段２で判定されたドイツ語を表示言語２０５として記憶する。表示言語設定手段３は、表示言語２０５がドイツ語なので、表示言語情報２０６からドイツ語の情報を取得し、処理部５のフォント２１２、肯定の返答２１３、否定の返答２１４、変更保存の質問２１５にドイツ語に対応する情報を設定する。処理部５は、設定されたフォント２１２、肯定の返答２１３、否定の返答２１４、変更保存の質問２１６を利用して、変更保存質問画面２１６を作成し、表示手段６にドイツ語で出力する。
【００２３】
図３は本発明の第１の実施の形態で、位置情報から自動的に表示言語を設定する処理を示すフローチャートである。図３において、位置情報検出手順Ｐ１で現在地の情報を取得する。次に表示言語判定手順Ｐ２で現在地に対応する言語を取得し、表示言語記憶手順Ｐ３で記憶域に格納する。言語情報取得手順Ｐ４で言語に対応する言語情報を取得する。最後に表示言語設定手順Ｐ５で取得した言語情報を設定する。
【００２４】
位置検出手段１としては、無線ネットワークを利用する方法もある。たとえば、無線ＬＡＮ（Ｌｏｃａｌ  Ａｒｅａ  Ｎｅｔｗｏｒｋ）の複数のアクセスポイントの電波強度の差から位置を検出する方法も考えられる。また、ネットワークを通じてサーバーから位置情報を取得することも考えられる。
【００２５】
表示言語判定手段２としては、あらかじめ地域と表示言語の対応表を内部に保持しておく方法だけでなく、取得された位置に対応する言語を通信手段を経由してサーバーに問い合わせるという方法も考えられる。
【００２６】
表示言語格納手段４としては、表示言語情報を装置内に保持するのではなく、通信手段を介してサーバーから取得する方法も考えられる。
【００２７】
本発明の第１の実施の形態の具体的な実施例として、テレビにも利用することができる。テレビのチャンネル表示、電子番組表のフォント、設定画面における表示で使用される文字列などを表示言語情報２０６に格納しておけば、位置に応じて表示を変えることができる。
【００２８】
このように装置の位置に応じて自動的に表示言語を変化させることで、工場出荷段階で装置の仕向け地に応じて表示言語をカスタマイズする必要がなく工数を削減でき、仕向け地ごとに異なる情報処理装置を開発するコストも削減でき、ある地域で売れ残った製品を別の地域で販売して在庫も削減でき、言語の異なる複数の地域へ販売する情報処理装置に有効である。
【００２９】
（実施の形態２）
図４は本発明の第２の実施の形態にかかる情報処理装置の概念的な構成を示す図である。
図４において、１は装置の現在位置を検出する位置検出手段、２は現在装置の置かれている地域で表示すべき言語を判定する表示言語判定手段、７は表示言語判定手段２で判定された言語を記憶しておく表示言語記憶手段、４は複数の言語のフォントや文章などの情報を格納した表示言語格納手段、３は表示言語格納手段４から表示すべき情報を読み出して設定する表示言語設定手段、５は全体の処理を行う処理部、６は処理部５の処理結果を設定された言語で出力する表示手段、８は複数の言語から表示言語を選択する表示言語選択手段、９は表示言語を選択するための入力手段である。
【００３０】
図５は本発明の第２の実施の形態にかかる日本、米国、香港を対象とした情報処理装置を香港で使用し、中国語簡体字を表示言語として選択した場合を示す図である。本情報処理装置は、変更したデータを保存するかどうかを質問する画面を表示する機能を持つ。
【００３１】
香港では、香港では英語、北京語（中国語簡体字）、広東語（中国語繁体字）が使用されている。そのため、香港で使用される場合はこの３つの言語から１つを選択する必要がある。
【００３２】
本実施の形態における情報処理装置は、位置検出手段１としてＧＰＳ受信装置５００を利用する。表示言語判定手段２は表示言語判定表５０２を利用する。表示言語判定表５０２は地域５０３の列と言語５０４の列で構成され、日本、米国、香港に対応する言語が記憶されている。表示言語記憶手段７は表示言語選択手段８で判定された言語を表示言語５０５として記憶する。表示言語格納手段４は、表示言語情報５０６を格納する。表示言語情報５０６は言語５０７、フォント５０８、肯定の返答５０９、否定の返答５１０、変更保存の質問５１１の列で構成され、日本語、英語、中国語簡体字、中国語繁体字の情報が格納されている。処理部５は、表示手段６に変更保存質問画面５１６を表示させる。
【００３３】
本装置を香港で使用した場合、ＧＰＳ受信装置５００により、現在地５０１が香港であることが検出される。表示言語判定手段２は、現在地５０１と表示言語判定表５０２から表示言語は英語、中国語簡体字、中国語繁体字のいずれかであると判定する。表示言語選択手段８は、英語、中国語簡体字、中国語繁体字の中から１つの言語を選択する表示言語選択画面を表示する。
【００３４】
図６は表示言語選択画面を示す。表示言語選択画面６００は、説明文６０１、選択肢６０２、決定ボタン６０３で構成され、入力手段９を用いて選択する。表示言語記憶手段７は、表示言語選択手段８で選択された言語を表示言語５０５として記憶する。表示言語設定手段３は、表示言語５０５が中国語簡体字なので、表示言語情報５０６から中国語簡体字の情報を取得し、処理部５のフォント５１２、肯定の返答５１３、否定の返答５１４、変更保存の質問５１５に中国語簡体字に対応する情報を設定する。処理部５は、設定されたフォント５１２、肯定の返答５１３、否定の返答５１４、変更保存の質問５１６を利用して、変更保存質問画面５１６を作成し、表示手段６に中国語簡体字で出力する。
【００３５】
香港では英語、中国語簡体字、中国語繁体字の３つの言語が使用されているため、表示言語選択手段８で選択する段階ではユーザーの使用する言語は不明である。そこで、図６に示すように表示言語選択画面６００の説明文６０１、選択肢６０２、決定ボタン６０３は英語、中国語簡体字、中国語繁体字で併記しておくと、どの言語を使用するユーザーでも操作することができる。
【００３６】
位置検出手段１は位置の検出に失敗することがある。たとえばＧＰＳでは、衛星からの電波の届かない地下、屋内などでは位置の検出に失敗する。位置検出手段１が位置の検出に失敗した場合は、表示言語選択手段８では装置の持つすべての表示言語から選択できるようにしておく。
【００３７】
図７は装置の持つすべての表示言語から選択する場合の表示言語選択画面を示す。図７に示すように、表示言語選択画面７００の説明文７０１、選択肢７０２、決定ボタン７０３は、日本語、英語、中国語簡体字、中国語繁体字で併記しておくと、どの言語を使用するユーザーでも操作することができる。
【００３８】
また、位置によって言語を対応させることが困難な場合も、表示言語選択手段８で装置の持つすべての表示言語から選択できるようにする。たとえば海洋上では、位置と言語を対応させることが困難である。
【００３９】
図８は本発明の実施の形態２における表示言語を設定する処理を示すフローチャートである。図８において、位置検出手順Ｐ１で現在地を取得する。Ｐ８０１で現在地取得の成否を調べ、成功なら表示言語判定手順Ｐ２で現在地に対応する言語の数と言語の配列を取得する。Ｐ８０２で言語の取得に成功したかどうかを調べ、成功ならＰ８０４へ進む。Ｐ８０１およびＰ８０２で失敗していれば、Ｐ８０３で装置の持つすべての言語を対応する言語として取得し、Ｐ８０４へ進む。Ｐ８０４で対応する言語が複数かどうかを調べ、複数なら表示言語選択手順Ｐ６で言語選択画面を表示してユーザーに一つの表示言語を選択させ、表示言語記憶手順Ｐ３で記憶域に格納する。Ｐ８０４で対応する言語が１つなら、その言語を表示言語とし、記憶域に格納する。言語情報取得手段Ｐ４で表示言語に対応する言語情報を取得し、表示言語設定手順Ｐ５で言語情報を設定する。
【００４０】
（実施の形態３）
図９は実施の形態３の構成を示す図である。この装置は、実施の形態２に加えて、表示言語の位置によって表示言語を判定する手段を無効にする表示言語判定無効化手段１０を持つ。これにより、ユーザーの使用したい言語と表示言語設定時の地域に対応する表示言語が異なる場合には、位置による表示言語の判定を無効にすることができる。ユーザーは表示言語選択手段８で、装置のもつすべての表示言語から、使用したい表示言語を選択する。
【００４１】
図１０は、ユーザーが異なる言語の地域で装置を購入した場合を示す。地域１では表示言語１が、地域２では表示言語２が対応しているとする。地域１に生まれ表示言語１を使用するユーザーが、地域２を旅行中に装置を購入し、地域２内で装置の表示言語を設定しようとした場合を考える。このとき位置検出手段１と表示言語判定手段２により、表示言語２が判定されてしまう。ユーザーはこれを避けるため、表示言語判定無効化手段１０で表示言語の判定を無効にし、表示言語選択手段８で装置の持つすべての表示言語を選択できるようにする。これにより、ユーザーは表示言語選択手段８から表示言語２を選択し、設定することが出来るようになる。
【００４２】
表示言語判定無効化手段１０としては、情報処理装置にスイッチをつけておき、その状態を検出することで実現することが考えられる。また、表示言語判定を無効にするかどうかを入力するように文章を表示するという方法も考えられる。表示言語判定を無効にするかどうかを文章で尋ねる場合には、情報処理装置の表示可能なすべての言語で表示すると、どの言語を使用するユーザーでも理解することが可能になる。
【００４３】
図１１は本発明の実施の形態３における表示言語を設定する処理を示すフローチャートである。図１１において、表示言語判定無効化手順Ｐ７で表示言語判定が無効に設定されているかどうかを取得し、Ｐ１１０１で判定する。表示言語判定が無効でなければ位置検出手順Ｐ１で現在地を取得する。Ｐ１１０２で現在地取得の成否を調べ、成功なら表示言語判定手順Ｐ２で現在地に対応する言語の数と言語の配列を取得する。Ｐ１１０３で言語の取得に成功したかどうかを調べ、成功ならＰ１１０５へ進む。Ｐ１１０１で表示言語判定無効の場合、またはＰ１１０２で失敗の場合、またはＰ１１０３で失敗の場合は、Ｐ１１０４で装置の持つすべての言語を対応する言語として取得し、Ｐ１１０５へ進む。Ｐ１１０５で対応する言語が複数かどうかを調べ、複数なら表示言語選択手順Ｐ６で言語選択画面を表示してユーザーに一つの表示言語を選択させ、表示言語記憶手順Ｐ３で記憶域に格納する。Ｐ１１０５で対応する言語が１つなら、Ｐ１１０６でその言語を表示言語とし、表示言語記憶手順Ｐ３で記憶域に格納する。言語情報取得手順Ｐ４で表示言語に対応する言語情報を取得し、表示言語設定手順Ｐ５で言語情報を設定する。
【００４４】
（実施の形態４）
図１２は実施の形態４の構成を示す図である。この装置は、実施の形態２に加えて、表示言語記憶手段７に記憶される表示言語を削除する表示言語記憶削除手段１１を持つ。これにより、表示言語の記憶を一度削除し、位置情報から表示言語を再設定することができる。
【００４５】
具体的な実施例として、ノート型のＰＣのＯＳの表示言語の設定に利用することができる。ノート型のＰＣは持ち運びが可能であるため、出張や旅行でさまざまな地域に持ち運ばれる。しかし、表示言語は利用者に合わせる必要があるため、自国で表示言語を設定した後で異なる言語の地域に出張や旅行に言った場合に表示言語が変わってしまうと利用者に不便である。そこで、位置検出手段１が位置を検出するたびに毎回表示言語を記憶するのではなく、装置を初めて使用した時にのみ位置情報から自動的に表示言語を表示言語記憶手段７に記憶し、以後の使用では表示言語記憶手段７に記憶された表示言語で表示されるようにすれば便利になる。
【００４６】
図１３はノート型ＰＣを異なる言語を使用するユーザーに譲渡した場合を示す。元の所有者ユーザー１は、地域１で初回起動時に言語１を設定したとする。表示言語は記憶されるため、２回目以降の起動では装置の位置にかかわらず言語１で表示される。装置が譲渡され、譲渡先のユーザー２の地域２に移動した場合にも、表示言語は言語１のままである。そこで、ユーザー２は表示言語記憶削除手段１１で表示言語を削除し、位置検出手段１と表示言語判定手段２で言語を再度判定することで表示言語を２に再設定することが可能になる。
【００４７】
図１４は本発明の実施の形態４における表示言語を設定する処理を示すフローチャートである。図１４において、Ｐ１４０１で記憶域を削除するように設定されているかどうか調べ、削除する設定なら表示言語記憶削除手順Ｐ８で記憶域の内容を削除してからＰ１４０２に進む。Ｐ１４０２で記憶域に言語が格納されているかどうか調べ、既に格納されていれば言語情報取得手順Ｐ４へ進む。記憶域に言語が格納されていなければ、位置検出手順Ｐ１で現在地を取得する。Ｐ１４０３で現在地の取得に成功したかどうかを調べ、成功なら表示言語判定手順Ｐ２で現在地に対応する言語の数と言語の配列を取得する。Ｐ１４０４で言語の取得に成功したかどうかを調べ、成功ならＰ１４０６へ進む。Ｐ１４０３で失敗の場合、またはＰ１４０４で失敗の場合は、Ｐ１４０５で装置の持つすべての言語を対応する言語として取得し、Ｐ１４０６へ進む。Ｐ１４０６で対応する言語が複数かどうかを調べ、複数なら表示言語選択手順Ｐ６で言語選択画面を表示してユーザーに一つの表示言語を選択させ、表示言語記憶手順Ｐ３で記憶域に格納する。Ｐ１４０６で対応する言語が１つなら、Ｐ１４０７でその言語を表示言語とし、表示言語記憶手順Ｐ３で記憶域に格納する。言語情報取得手順Ｐ４で表示言語に対応する言語情報を取得し、表示言語設定手順Ｐ５で言語情報を設定する。
【産業上の利用可能性】
【００４８】
本発明にかかる情報処理装置は、全世界で共通の装置となることにより、工場出荷段階で装置の仕向け地に応じて表示言語をカスタマイズする必要がなく工数を削減でき、仕向け地ごとに異なる情報処理装置を開発するコストも削減でき、ある地域で売れ残った製品を別の地域で販売して在庫も削減でき、同一の機能であるが地域に応じて異なる言語で表示するような情報処理装置で有用である。
【図面の簡単な説明】
【００４９】
【図１】本発明の実施の形態１の構成図
【図２】日本、米国、英国、ドイツを対象とした情報処理装置を示す図
【図３】本発明の実施の形態１の処理を表すフローチャート
【図４】本発明の実施の形態２の構成図
【図５】日本、米国、香港を対象とした情報処理装置を示す図
【図６】表示言語選択画面（英語、中国語簡体字、中国語繁体字）を示す図
【図７】表示言語選択画面（英語、日本語、中国語簡体字、中国語繁体字）を示す図
【図８】本発明の実施の形態２の処理を表すフローチャート
【図９】本発明の実施の形態３の構成図
【図１０】異なる言語の旅行先で情報処理装置を購入した場合の図
【図１１】本発明の実施の形態３の処理を表すフローチャート
【図１２】本発明の実施の形態４の構成図
【図１３】異なる言語の地域のユーザーに情報処理装置を譲渡した場合の図
【図１４】本発明の実施の形態４の処理を表すフローチャート
【符号の説明】
【００５０】
１  位置検出手段
２  表示言語判定手段
３  表示言語設定手段
４  表示言語格納手段
５  処理部
６  表示手段
７  表示言語記憶手段
８  表示言語選択手段
９  入力手段
１０  表示言語判定無効化手段
１１  表示言語記憶削除手段
２００  ＧＰＳ受信装置
２０１  現在地
２０２  表示言語判定表
２０３  地域列
２０４  言語列
２０５  表示言語
２０６  表示言語情報
２０７  言語列
２０８  フォント列
２０９  肯定の返答列
２１０  否定の返答列
２１１  変更保存の質問列
２１２  設定されたフォント
２１３  設定された肯定の返答
２１４  設定された否定の返答
２１５  設定された変更保存の質問
２１６  変更保存質問画面
５００  ＧＰＳ受信装置
５０１  現在地
５０２  表示言語判定表
５０３  地域列
５０４  言語列
５０５  表示言語
５０６  表示言語情報
５０７  言語列
５０８  フォント列
５０９  肯定の返答列
５１０  否定の返答列
５１１  変更保存の質問列
５１２  設定されたフォント
５１３  設定された肯定の返答
５１４  設定された否定の返答
５１５  設定された変更保存の質問
５１６  変更保存質問画面
６００  表示言語選択画面
６０１  説明文
６０２  選択肢
６０３  決定ボタン
７００  表示言語選択画面
７０１  説明文
７０２  選択肢
７０３  決定ボタン
Ｐ１  位置検出手順
Ｐ２  表示言語判定手順
Ｐ３  表示言語記憶手順
Ｐ４  言語情報取得手順
Ｐ５  表示言語設定手順
Ｐ６  表示言語選択手順
Ｐ７  表示言語判定無効化手順
Ｐ８  表示言語記憶削除手順
Ｐ８０１  現在地取得成功の判定処理
Ｐ８０２  言語取得成功の判定処理
Ｐ８０３  現在地または言語取得失敗時の処理
Ｐ８０４  取得した言語数の判定処理
Ｐ８０５  取得言語が複数でない場合の処理
Ｐ１１０１  表示言語判定無効の判定処理
Ｐ１１０２  現在地取得成功の判定処理
Ｐ１１０３  言語取得成功の判定処理
Ｐ１１０４  表示言語判定無効時または現在地取得失敗時または言語取得失敗時の処理
Ｐ１１０５  取得した言語数の判定処理
Ｐ１１０６  取得言語が複数でない場合の処理
Ｐ１４０１  記憶域削除の判定
Ｐ１４０２  記憶域に言語が格納されているかどうかの判定処理
Ｐ１４０３  現在地取得成功の判定処理
Ｐ１４０４  言語取得成功の判定処理
Ｐ１４０５  現在地取得失敗時または言語取得失敗時の処理
Ｐ１４０６  取得した言語数の判定処理
Ｐ１４０７  取得言語が複数でない場合の処理
【図１】
2007193719.tif 000003
【図２】
2007193719.tif 000004
【図３】
2007193719.tif 000005
【図４】
2007193719.tif 000006
【図５】
2007193719.tif 000007
【図６】
2007193719.tif 000008
【図７】
2007193719.tif 000009
【図８】
2007193719.tif 000010
【図９】
2007193719.tif 000011
【図１０】
2007193719.tif 000012
【図１１】
2007193719.tif 000013
【図１２】
2007193719.tif 000014
【図１３】
2007193719.tif 000015
【図１４】
2007193719.tif 000016